(57)【要約】【課題】  装着しやすく、且つ靴の汚れが内側に付着することなく、履物の形状やサイズに制約されずに使用でき、そして悪天候時に高まる交通事故の危険を低減させる事ができる履物カバーを提供する。【解決手段】  上端及び下端が開口した中空筒状の履口保護部材と、当該履口保護部材を履物の履口部分を覆うように止着する止着部材とを備え、当該止着部材は、前記履口保護部材と着脱自在であるか、或いは少なくとも一部が分離結合自在であって、前記履口保護部材の下端の開口を開放できる履物カバーとし、当該前記止着部材は、例えば履口保護部材の下端側の開口を跨って架設されるベルト部と、当該ベルト部の長さ方向に分離及び連結自在とする１つ以上の連結具とで構成する。【選択図】図２
2015019868.tif 000002
【特許請求の範囲】
【請求項１】
上端及び下端が開口した中空筒状の履口保護部材と、
当該履口保護部材を履物の履口部分を覆うように止着する止着部材とを備え、
当該止着部材は、前記履口保護部材と着脱自在であるか、或いは少なくとも一部が分離結合自在であって、前記履口保護部材の下端の開口を開放できる事を特徴とする、履物カバー。
【請求項２】
前記止着部材が、前記履口保護部材の下端側の開口を跨って架設されるベルト部と、当該ベルト部の長さ方向に分離及び連結自在とする１つ以上の連結具とからなるベルトである事を特徴とする、請求項１に記載の履物カバー
【請求項３】
前記止着部材が、履物の外側表面の一部又は全部を覆うと共に、
少なくとも一部が前記履口保護部材の下端側開口と着脱自在に形成された外側表面部である事を特徴とする、請求項１又は２に記載の履物カバー。
【請求項４】
更に前記履口保護部材の上端及び／又は下端の開口部分に、当該開口部分の開口径を広狭自在とする口径調整手段を設けた事を特徴とする、請求項１〜３の何れか一項に記載の履物カバー。
【請求項５】
更に前記履口保護部材及び前記止着部材の少なくとも何れかに、発光手段を設けたことを特徴とする、請求項１〜４の何れか一項に記載の履物カバー。
【発明の詳細な説明】
【技術分野】
【０００１】
本発明は、悪天候時又は山道や甫場等の悪路歩行時に、使用者の足部分や履物を保護する履物カバーに関し、特に履物内への雨水や雪、或いは枯葉や土砂等の異物の侵入を防ぐ為の履物カバーに関する。
【背景技術】
【０００２】
従前においても、悪天候時に使用者の身体、衣服及び履物を濡れや汚れから保護する為に様々な雨具が提供されている。例えば、降雨や降雪より使用者を守るためには傘や雨合羽等が利用されており、水たまり等を歩行した時に跳ね返る泥水から使用者を守るためには長靴等が利用されている。そしてこれらの雨具のうち、特に使用者の履物を保護する事を目的とする発明も提案されている。
【０００３】
例えば特許文献１（実開平６−３３５０３号広報）においては、ソックス型雨具に関するものであり、特に雨によるズボンの裾及び靴の濡れを防止するソックス型雨具に関するものとして、ラテックス等にて薄型に形成した生地をソックス形状に形成し、該ソックス形状の爪先部及びカカト部を厚く形成すると共に、該ソックス形状の上端部であって、足の挿入部の周縁部に伸縮自在な止着部を形成したことを特徴とするソックス型雨具が提案されている。
【０００４】
また、特許文献２（実用新案登録第３０６４１２８号広報）においては、雨天の時に、履いている靴が濡れないようにその靴の上から履く雨除け用靴に関するものとして、雨除け用靴であって、弾性及び防水性を有する扁平板状の靴底部と、柔軟性及び防水性を有する材料で形成されて靴底部の周縁から上方へ延出され、その上端部が履き口とされる筒状部とからなる雨除け用靴が提案されている。
【先行技術文献】
【特許文献】
【０００５】
【特許文献１】実開平６−３３５０３号広報
【特許文献２】実用新案登録第３０６４１２８号広報
【発明の概要】
【発明が解決しようとする課題】
【０００６】
前述のとおり、従前においても悪天候時に使用者の履物を保護する事を目的とする発明は提案されている。しかしながら、従来提供されている履物カバーは、特許文献１及び特許文献２において開示されているように履物全体を保護部材が覆うものであった為、履物を履いた状態での着脱が困難となる問題があった。そこで、本発明は、履物を履いた状態であっても容易に着脱することができる履物カバーを提供する事を第１の課題とする。
【０００７】
また、履物には多様な形状やサイズがあり、履物によっては履物を覆う保護部材が適合せず、使用が困難ないし不可能となる問題があった。ところで、履物保護の態様は履物の外側表面の保護と内側の保護とに大別することができるが、従来提供されている履物カバーはこれらの保護を両立しようとする思想のものであった。この点、雨水や雪或いは枯葉や土砂の侵入を防ぎ履物の内側を保護する為には少なくとも履口部分を覆えばよく、必ずしも履物全体を覆う必要はない。つまり、履物の内側の保護を主目的とする履物カバーにあっては、履口部分を中心に覆うことで、サイズや形状に制約されず使用することができる履物カバーを提供する事ができる。そこで本発明は、履物の形状やサイズに制約されずに使用でき、かつ履口部分からの雨水や雪、或いは枯葉や土砂等の異物の侵入を防ぐ事により履物の内側を保護することができる履物カバーを提供することを第２の課題とする。
【０００８】
更に、従来提供されている履物カバーは、履物の底面を保護部材が覆うものであった為、保護部材によっては滑りやすく転倒するおそれがあり、また底面の保護部材が地面との摩擦で損耗しやすいという問題があった。そのうえ、履物自体に撥水加工や防汚加工がされている製品もあり、そもそも履物の外側表面を保護する必要性が薄い場合にまで保護部材を装着しなければならないのは不都合であった。そこで本発明は、利用者が転倒の危険や履物の外側表面を保護する必要性等の諸般の事情を考慮して、履物の外側表面の保護部材を任意に着脱することができる履物カバーを提供することを第３の課題とする。
【０００９】
更に、上記の様に履物の底面を保護部材が覆う場合には、着用に際して、先ずは利用者が靴を履き、その上で履物カバー内に靴を履いた状態で足を差し入れなければならなかった。したがって、例えば悪路を歩行した時など、靴が汚れている場合には、この靴の汚れが履物カバー内の周面に付着してしまい、着用者の衣服を汚してしまう事も有った。そこで本発明は、着用に際しても当該履物カバー内を汚さずに装着できるようにした履物カバーを提供することを第４の課題とする。
【００１０】
以上の構造に起因する問題に加えて、従来提供されている履物カバーは、濡れや汚れから利用者を保護する事を目的とするのみであり、悪天候時に高まる交通事故の危険を鑑みたものは無かった。そこで、本発明は、悪天候時に高まる交通事故の危険を低減させる事ができる履物カバーを提供する事を第５の課題とする。
【課題を解決するための手段】
【００１１】
即ち、本発明は前記課題の少なくとも何れかを解決するべく、上端及び下端が開口した中空筒状の履口保護部材と、当該履口保護部材を履物の履口部分を覆うように止着する止着部材とを備え、当該止着部材は、前記履口保護部材と着脱自在であるか、或いは少なくとも一部が分離結合自在であって、前記履口保護部材の下端の開口を開放できる履物カバーを提供する。
【００１２】
前記履口保護部材は、利用者が履物、足首及び下腿部を通す事ができるように上端及び下端が開口した中空筒状として形成することができ、円筒形状、三角筒形状、四角筒形状その他の多角筒形状として形成することができる。また、適宜人間の下腿部に沿う湾曲形状（エルゴノミクス形状）に形成することで、より使いやすい製品にする事や、使用時の疲れやストレスを緩和する製品にする事ができる。
【００１３】
前記履口保護部材の長さは、着用者の下腿部から履物の履口部分までを覆う長さとして形成する事が望ましく、着用者の年齢や性別、或いは着用する履物の種類に応じて適宜調整することができる。例えば、成人用の履物に適用するには２５ｃｍ〜５０ｃｍとすることが望ましい。但し、この長さは、利用用途等の諸般の事情に応じても適宜変更することができる。また、下腿部の長さや太さは着用者により異なるため、前記履口保護部材の少なくとも一部を伸縮性のある素材により構成することで、前記履口保護部材と着用者とをより密着させることができ、防水性能をより高めることができる。
【００１４】
前記履口保護部材の上端の開口部分は、着用者が下腿部を挿入することができる口径として形成することができ、着用者の年齢や性別、或いは着衣によって適宜調整することができる。例えば成人が着用するものであれば、少なくとも１０ｃｍ以上の開口径であることが望ましい。一方、前記下腿保護部の下端の開口部分は、少なくとも着用者の足首が通る開口径（成人用であれば、少なくとも５ｃｍ以上の開口径）とし、望ましくは着用者の下腿部が通る開口径（成人用であれば、少なくとも１０ｃｍ以上の開口径）とすることが望ましい。着用者の下腿部が通る開口径とすることにより、着用者は履物を脱いだ状態で下腿部を履口保護部材に通し、その後に履物を履いて当該履口保護部材を止着することができる。これにより、履口保護部材の内側（下腿部が通る側）を、履物によって汚すおそれを無くすことができる。前記履口保護部材の上端及び下端の開口部分は、前記履口保護部材と着用者とをより密着させ防水性能を高める為に、後述するように口径調整手段を備える事で広狭自在に構成することが望ましい。
【００１５】
前記履口保護部材を構成する素材は、防水性及び撥水性に優れたものであることが望ましく、例えば皮革や樹脂シートや布帛等を用いることができる。皮革を原材料とする場合には、特に防水性や撥水性に優れた合成皮革によることが望ましく、更にはエナメル加工等防水性や撥水性を高める加工がされているものを利用することが望ましい。皮革により前記履口保護部材を形成する場合には、なめしや成形等の一般的な皮革の加工手段によることができる。樹脂を原材料とする場合には、例えばポリエステル、ポリビニル等の合成樹脂や、ゴム等の天然樹脂からなる柔軟性を有するシートや布帛等を利用することができる。合成繊維により前記下腿保護部を形成する場合には、紡糸や延伸等の一般的な化学繊維の加工手段によって形成した布帛を用いることができる。前記履口保護部材の原材料として伸縮性の高い皮革や合成樹脂から成る布帛を用いた場合には、より着用者の下腿部に密着させることができる為、更に防水性を高めることができる。
【００１６】
前記履口保護部材の上端及び／又は下端の開口部分は、当該開口部分と着用者の下腿部ないし履物の履口とをより密着させ、雨水や雪或いは枯葉や土砂の侵入を防ぐ為に、当該開口部分の口径を広狭自在に調整することができる口径調整手段を備えることが望ましい。当該口径調整手段は、例えば、前記開口部分周縁に沿って環状の袋部分を形成し、この袋部分内に略輪状のゴムを収容して形成することができる。
【００１７】
前記止着部材は、前記履口保護部材と着脱自在であるか、或いは少なくとも一部が分離結合自在であって、前記下端の開口を開放できるように形成される。例えば、履口保護部材の下端側の開口を跨って架設されるベルト部と、当該ベルト部の長さ方向に分離及び連結自在とする１つ以上の連結具とで構成することができる。当該ベルト部は、履物底面を横断して前記履口保護部材と係止されることにより、歩行の際に前記履口保護部材がズレ上がることを抑え、これにより履物の履口部分からの雨水や雪或いは枯葉や土砂の侵入を防ぐことができる。よって、当該ベルト部は、少なくとも履物底面を横断する長さとして形成する事が望ましく、例えば成人が着用するものである場合には、５〜１５ｃｍの長さに形成する事が望ましい。
【００１８】
また、前記連結具は、前記ベルト部の何れかの一箇所以上に形成され、例えばベルト部の長さ方向の何れか一方の端部、又は両端部に形成することができ、更に当該ベルト部の長さ方向の中心部分に形成することもできる。また、当該連結具を２か所以上に形成した場合、当該止着部材を前記履口保護部材に対して着脱自在とすることができる。よって、例えばベルト部が長年の使用により擦れて千切れた場合には、別の止着部材と簡単に交換することができる。かかる止着部材を構成する連結具は、バックルの代わりにボタン、スナップ、面ファスナー等を使用することもできる。かかる連結具を設ける事により、当該連結具を外した状態においては、着用者は履物を脱いだ状態で下腿部を履口保護部材に通し、その後に履物を履いて当該連結具を連結させれば、履口保護部材の内側（下腿部が通る側）を履物によって汚すことなく、当該履物カバーを着用することができる。また、ベルト部からなる止着部材とした場合、当該ベルト部が履物の土踏まずの部分を横断することにより、歩行時における当該ベルト部の磨耗を減じることができ、且つ履物自体の底面が露出している事から、足元が滑る事を防ぎ、使用者が転倒する危険を低減することもできる。
【００１９】
また前記止着部材は、履物の外側表面の一部又は全部を覆うと共に、少なくとも一部が前記履口保護部材の下端側開口と着脱自在に形成された外側表面保護部として形成することもできる。当該外側表面保護部は、前記履口保護部材による履物内側の保護に加えて履物外側表面をも保護することができる。よって、当該外側表面保護部は、少なくとも履物外側表面の一部を覆うように構成することが望ましい。そして当該外側表面保護部は、前記履口保護部材と着脱自在に構成することが望ましい。かかる構成によれば、利用者の身体的特性、使用目的、履物のサイズや形状、天候や地面の状態、デザイン等の諸般の事情を考慮して、前記履口保護部材と当該外側表面保護部を任意に組み合わせて使用することができる為である。また、外側表面保護部を履口保護部材の下端側開口と着脱自在に形成する事により、外側表面保護部を取り外した状態において、着用者は履物を脱いだ状態で下腿部を履口保護部材に通し、その後に履物を履いてから、当該外側表面保護部を履口保護部材に取り付ければ、履口保護部材の内側（下腿部が通る側）を履物によって汚すことなく、当該履物カバーを着用することができる。
【００２０】
前記外側表面保護部は、底面を伴って形成する他、底面を具備せず、履物の側面及び上面を覆うように形成することもできる。特に底面を具備して形成される場合、当該底面は、歩行時に発生する地面との摩擦に対して十分な強度を持った原材料により形成することが望ましく、例えば、ポリウレタン等の合成樹脂や皮革により形成することができる。また当該底面には、ゴム等の滑り止めを設けることで、足元が滑る事を防ぎ、使用者が転倒する危険を低減することもできる。また、当該外側表面保護部が底面を具備しないように形成されている場合には、別途ベルト部と連結具とからなる止着部材を設けて、これにより当該履口保護部材及び外側表面保護部を止着することができる。
【００２１】
前記履口保護部材及び前記止着部材の少なくとも何れかに、蓄光又は自発光する材料で構成するか、或いは反射材で形成した発光手段を設けることもできる。かかる発光手段を備える事により、悪天候時に高まる交通事故の危険を低減させることができる。悪天候時は事故発生の危険が高まる為、雨具と交通事故防止用品を兼ねることで事故発生の危険を大きく低減することができる。当該発光手段は、例えば、硫化亜鉛や硫化カルシウム等の夜光塗料や、微小ガラス球やレンズからなる反射板又は反射ステッカーを用いる事ができる。当該反射板や反射ステッカーの形状によっては、星形の加工等することで装飾を兼ねることができ、製品のデザイン性を向上させることもできる。
【発明の効果】
【００２２】
以上のように構成される、本発明にかかる履物カバーは、前記止着部材が、前記履口保護部材と着脱自在であるか、或いは少なくとも一部が分離結合自在であって、前記履口保護部材の下端の開口を開放できるように構成されているため、着用時には履口保護部材に足を通して止着部材で止めるだけでよく、反対に取り外す時には止着部材を外して履口保護部材から足を引き抜くだけでよい。これにより、履物を履いた状態であっても容易に着脱することができる履物カバーを提供することができ、また履物を脱いだ状態で着用してから、履物を履くことができる。
【００２３】
また、本発明にかかる履物カバーは、履口保護部材による履物内側の保護を中心とすることで、履物のサイズや形状に制約されず使用することができ、かつ履口部分からの雨水や雪、或いは枯葉や土砂等の異物の侵入を防ぐことにより履物内側を保護する履物カバーを提供することができる。かかる履物内側の保護に加えて、本発明にかかる履物カバーは、利用者が履物外側表面の保護の必要性、履物の形状やサイズ、天候や地面の状態、デザイン等諸般の事情を考慮して任意に外側表面保護部を着脱することができる履物カバーを提供することができる。
【００２４】
更に、本発明にかかる履物カバーは、履口保護部材、止着部材及び外側表面保護部に夜光塗料や反射板等の発光手段を備えることができ、雨や泥から利用者を保護するのみならず、悪天候時に高まる交通事故の危険を低減させる履物カバーを提供することができる。
【図面の簡単な説明】
【００２５】
【図１】第１の実施形態にかかる履物カバーの使用状態を示す斜視図
【図２】第１の実施形態にかかる履物カバーの（Ａ）バックルを開いた状態を示す斜視図、（Ｂ）バックルを閉じた状態を示す斜視図
【図３】第２の実施形態にかかる履物カバーの（Ａ）バックルを開いた状態を示す斜視図、（Ｂ）バックルを閉じた状態を示す斜視図
【図４】第３の実施形態にかかる履物カバーの（Ａ）外側表面保護部を外した状態を示す斜視図、（Ｂ）外側表面保護部を装着した状態を示す斜視図
【図５】第４の実施形態にかかる履物カバーの発光部分を示す斜視図
【発明を実施するための形態】
【００２６】
以下、本実施の形態に係る履物カバーを、図面を参照しながら詳細に説明する。但し、本発明にかかる履物カバーは、以下の実施形態に何ら限定されるものではなく、本発明の趣旨を逸脱しない限りにおいて、適宜変更することができる。
【００２７】
図１は、第１の実施形態にかかる履物カバーの使用状態を示す斜視図であり、図２は、第１の実施形態にかかる履物カバーの（Ａ）バックルを開いた状態を示す斜視図、（Ｂ）バックルを閉じた状態を示す斜視図である。本実施の形態においては、履口保護部材１１は防水性及び撥水性に優れた合成皮革を原材料として構成した。履口保護部材１１は、使用者の下腿Ｌに沿うエルゴノミクス形状の円筒形として形成しており、その全長は主に成人の使用者を想定して３５ｃｍとして構成した。履口保護部材１１の上端及び下端の開口部分には、口径調整部１２を設けた。当該口径調整部１２は、開口部分周縁に沿うようにして環状の袋部分を形成し、この袋部分の内に略輪状のゴムを内挿して形成した。かかる口径調整部１２により、上端の開口部分の口径は１２ｃｍ〜１５ｃｍまで広狭自在であり、下端の開口部分の口径は１４ｃｍ〜１７ｃｍまで広狭自在として構成した。これにより、履口保護部材１１と着用者とを密着させることでより防水性能を高めることができる。また本実施の形態では上端の開口部分よりも下端の開口部分の開口径を大きく形成した。
本実施の形態においては、以上のように構成される履口保護部材を履物の履口部分に止着する為に、履口保護部材の下端側の開口を跨って架設されるベルト部と、当該ベルト部の長さ方向に分離及び連結自在とする１つ以上の連結具とからなる止着部材を設けた。かかる止着部材を構成するベルト部は、ポリプロピレンシートを幅２ｃｍ、厚さ１．５ｍｍに形成し、このベルト部１３の一端側に、バックル雄１４ａとバックル雌１４ｂから成るバックル１４を設けた。
【００２８】
以上のように構成される本実施の形態にかかる履物カバーは、履口保護部材１１を止着するベルト部１３の一端にバックル１４を設けたことによりベルト部１３が履口保護部材１１の下端の開口を横切らない状態（開放状）にすることができる。その結果、着用時には履口保護部材１１に足を通してバックル１４で止めるだけでよく、反対に取り外すにはバックル１４を外して履口保護部材１１から足を引き抜くだけでよい。これにより、履物を履いた状態であっても容易に着脱することができ、また履物を脱いだ状態で着用してから、バックルにより止着できる履物カバーを提供することができる。また、本実施の形態にかかる履物カバーは、履口保護部材１１による履物内側の保護に専念し、履物外側表面を覆わないことで、履物のサイズや形状に制約されず使用することができ、かつ履口部分からの雨水や雪、或いは枯葉や土砂等の異物の侵入を防ぐことにより履物内側を保護する履物カバーを提供することができる。
また、前記止着部材を構成するベルト部１３は、履物のかかと部分の先端側であって、常には地面に接しない部分を横切るように設けている事から、当該ベルト部の磨耗が減じられると共に、履物の底が露出し、これにより、足元が滑る事を防いで、使用者が転倒する危険を低減することもできる。
【００２９】
図３は、第２の実施形態にかかる履物カバーの（Ａ）バックルを開いた状態を示す斜視図、（Ｂ）バックルを閉じた状態を示す斜視図である。本実施の形態にかかる履物カバーは、ベルト部１３の両端にバックル１４を備えることで、ベルト部１３の全部を履物保護部１１と着脱自在に構成したものである。これにより、例えば長年の使用などによって止着部材を構成するベルト部が摩耗した場合などにおいては、当該止着部材だけを交換することで、長く使用することができる。
【００３０】
図４は、第３の実施形態にかかる履物カバーの（Ａ）外側表面保護部２１を外した状態を示す斜視図、（Ｂ）外側表面保護部２１を装着した状態を示す斜視図である。本実施の形態においては、履物外側表面の全部を覆う外側表面保護部２１と、履口保護部材１１とを、面ファスナー２２により着脱自在に構成した。図示しないが、外側表面保護部２１は履物の形状やサイズ、天候や地面の状態、デザイン等諸般の事情を考慮して任意に選択することができ、例えば、着用者の嗜好や着用時の気分に応じて色彩の異なる種々の外側表面保護部から任意のものを選択して装着することもできる。また、天候や地面の状態によっては外側表面保護部２１を使用せず、履口保護部材１１のみを使用することもできる。特に本実施の形態では、当該外側表面保護部２１は底面を備え、恰も履物全体を覆うように構成されている。よって、履物の上に外側表面保護部２１を装着し、その後で履口保護部材１１を装着することにより、当該履口保護部材１１の内側を履物で汚すおそれを無くすことができる。また履き物を履かずに履口保護部材１１を装着し、その後で履物を履いてから外側表面保護部２１を装着してもよい。
【００３１】
以上のように構成される本実施の形態にかかる履物カバーによれば、履口保護部材１１による履物内側の保護に加えて、利用者が履物外部表面の保護の必要性、履物の形状やサイズ、天候や地面の状態、デザイン等諸般の事情を考慮して任意に外側表面保護部２１を着脱することができる履物カバーを提供することができる。
【００３２】
図５は、第４の実施形態にかかる履物カバーの発光部分を示す斜視図である。本実施の形態にかかる履物カバーは、履口保護部材の外周側面に星形に加工した反射板３１を備えたものである。反射板３１は、微小ガラス球から成るものを使用した。
【００３３】
以上のように構成される本実施の形態にかかる履物カバーによれば、反射板３１が車両のライト等の光を反射することで、悪天候時に高まる交通事故の危険を低減させる履物カバーを提供することができる。しかも当該履口保護部材１１は広い表面積を有することから、当該発光部分の面積を広くすることができ、且つ歩行時に動く脚部に設けられることから、より一層視認性を高めることができる。また、本実施形態においては、反射板１５を星形に加工しており、反射板１５が装飾を兼ねているのでデザイン性を向上させている。
【符号の説明】
【００３４】
Ｌ      足
Ｓ      靴
１１    履口保護部材
１２    口径調整部
１３    ベルト部
１４    バックル
１４ａ  バックル雄
１４ｂ  バックル雌
２１    外側表面保護部
２２    面ファスナー
３１    反射板
【図１】
2015019868.tif 000003
【図２】
2015019868.tif 000004
【図３】
2015019868.tif 000005
【図４】
2015019868.tif 000006
【図５】
2015019868.tif 000007